(57)【要約】【課題】光記録メディアの記録容量を制限することなく光記録メディアの再生管理が可能なメディア再生システム、メディア再生装置、光記録メディア及び制御プログラムを提供する。【解決手段】光記録メディアに非接触で通信可能な半導体メモリを設けて、この半導体メモリに再生許可情報を選択的に記録し、メディア再生装置は、半導体メモリに再生許可情報が記録されていた場合に、光記録メディアの再生が許可されていると判定し、光記録メディアの再生が許可されている場合に、光記録メディアの情報記録領域に記録された情報を再生する。【選択図】図６
2009104701.tif 000002
【特許請求の範囲】
【請求項１】
光記録メディアをメディア再生装置で再生するメディア再生システムにおいて、
前記光記録メディアに非接触で通信可能な半導体メモリを設けて、この半導体メモリに再生許可情報を選択的に記録し、
前記メディア再生装置は、
前記半導体メモリに記録された情報を読み取り可能なメモリアクセス手段と、
前記半導体メモリに前記再生許可情報が記録されていた場合に、前記光記録メディアの再生が許可されていると判定する再生判定手段と、
前記光記録メディアの再生が許可されている場合に、前記光記録メディアの情報記録領域に記録された情報を再生するメディア再生手段と
を備えることを特徴とするメディア再生システム。
【請求項２】
光記録メディアに記録された情報を再生するメディア再生装置において、
前記光記録メディアが半導体メモリを備える場合に、前記半導体メモリに記録された情報を読み取り可能なメモリアクセス手段と、
前記半導体メモリに前記再生許可情報が記録されていた場合に、前記光記録メディアの再生が許可されていると判定する再生判定手段と、
前記光記録メディアの再生が許可されている場合に、前記光記録メディアの情報記録領域に記録された情報を再生するメディア再生手段と
を備えることを特徴とするメディア再生装置。
【請求項３】
請求項２に記載のメディア再生装置において、
前記光記録メディアの情報記録領域には暗号化情報が記録されると共に、前記半導体メモリには前記暗号化情報を復号するための鍵情報が記録され、
前記メディア再生手段は、前記光記録メディアの再生が許可されている場合に、前記鍵情報に基づき前記暗号化情報を復号することを特徴とするメディア再生装置。
【請求項４】
請求項２又は３に記載のメディア再生装置において、
前記半導体メモリに前記再生許可情報の書き戻しを行わず、前記光記録メディアを再生した場合には、前記メモリアクセス手段を介して再生履歴を構成する情報を前記半導体メモリに記録することを特徴とするメディア再生装置。
【請求項５】
請求項４に記載のメディア再生装置において、
前記再生履歴を構成する情報は、再生日時、再生回数及び再生したメディア再生装置を特定する特定情報の少なくともいずれかを含むことを特徴とするメディア再生装置。
【請求項６】
情報記録領域に記録された情報の再生を制限可能な光記録メディアにおいて、
前記情報記録領域に暗号化情報を記録すると共に、非接触で通信可能な半導体メモリを設けて、この半導体メモリに、前記暗号化情報を復号するための鍵情報を記録すると共に再生許可情報を選択的に記録したことを特徴とする光記録メディア。
【請求項７】
請求項６に記載の光記録メディアにおいて、
前記光記録メディアは光ディスクであり、非接触の通信に供するループアンテナを、前記情報記録領域よりも内周側の非情報記録領域に沿って設けたことを特徴とする光記録メディア。
【請求項８】
請求項６又は７に記載の光記録メディアにおいて、
前記半導体メモリは、情報を読み出すと記録された情報が消失する破壊読み出しメモリであって、消失情報の再書き込みを行わないメモリであることを特徴とする光記録メディア。
【請求項９】
光記録メディアを再生するメディア再生装置をコンピュータにより制御するための制御プログラムにおいて、
前記光記録メディアが半導体メモリを備える場合に、前記半導体メモリに記録された情報を読み取り、
前記半導体メモリに前記再生許可情報が記録されていた場合に、前記光記録メディアの再生が許可されていると判定し、
前記情報の再生が許可されている場合に、前記光記録メディアの情報記録領域に記録された情報を再生することを特徴とする制御プログラム。
【発明の詳細な説明】
【技術分野】
【０００１】
本発明は、光記録メディアの再生管理が可能なメディア再生システム、メディア再生装置、光記録メディア及び制御プログラムに関する。
【背景技術】
【０００２】
近年、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの記録メディアの不正利用を防止する技術が求められている。このような技術としては、一個の非接触ＩＣタグに対し、秘密に受信したアクセス識別子により識別される記憶領域を設け、該記憶領域へのアクセス制限を行うものがある（例えば、特許文献１参照）。
【特許文献１】特開２００１−３０７０５５号公報
【発明の開示】
【発明が解決しようとする課題】
【０００３】
しかし、従来の技術は、記録メディアの情報記録領域にアクセス制限用の情報（アクセス識別子など）を記録するため、記録メディアの記録容量を全てコンテンツに活用することができない。特に、光記録メディアは記録容量が規格で統一されており、このメディアに記録する音楽や映像のコンテンツがディスク容量に合わせて作成されるため、その他の情報を記録できない場合が生じてしまう。
【０００４】
本発明は、上述した事情に鑑みてなされたものであり、光記録メディアの記録容量を制限することなく光記録メディアの再生管理が可能なメディア再生システム、メディア再生装置、光記録メディア及び制御プログラムを提供することにある。
【課題を解決するための手段】
【０００５】
上述課題を解決するため、本発明は、光記録メディアをメディア再生装置で再生するメディア再生システムにおいて、前記光記録メディアに非接触で通信可能な半導体メモリを設けて、この半導体メモリに再生許可情報を選択的に記録し、前記メディア再生装置は、前記半導体メモリに記録された情報を読み取り可能なメモリアクセス手段と、前記半導体メモリに前記再生許可情報が記録されていた場合に、前記光記録メディアの再生が許可されていると判定する再生判定手段と、前記光記録メディアの再生が許可されている場合に、前記光記録メディアの情報記録領域に記録された情報を再生するメディア再生手段とを備えることを特徴とする。
この構成によれば、メディア再生装置は、光記録メディアの半導体メモリに再生許可情報が記録されていた場合に、光記録メディアの再生が許可されていると判定し、光記録メディアの情報記録領域に記録された情報を再生するので、半導体メモリに再生許可情報が記録されていない場合は再生を制限でき、光記録メディアの記録容量を制限することなく光記録メディアの再生管理が可能になる。また、半導体メモリに再生許可情報を記録するか否かによって再生許可／再生禁止を容易に切り換えることが可能になる。
【０００６】
また、本発明は、光記録メディアに記録された情報を再生するメディア再生装置において、前記光記録メディアが半導体メモリを備える場合に、前記半導体メモリに記録された情報を読み取り可能なメモリアクセス手段と、前記半導体メモリに前記再生許可情報が記録されていた場合に、前記光記録メディアの再生が許可されていると判定する再生判定手段と、前記光記録メディアの再生が許可されている場合に、前記光記録メディアの情報記録領域に記録された情報を再生するメディア再生手段とを備えることを特徴とする。この構成によれば、光記録メディアの半導体メモリに再生許可情報が記録されていた場合に、光記録メディアの再生が許可されていると判定し、光記録メディアの情報記録領域に記録された情報を再生するので、半導体メモリに再生許可情報が記録されていない場合は再生を制限でき、光記録メディアの記録容量を制限することなく光記録メディアの再生管理が可能になる。
【０００７】
上記構成において、前記光記録メディアの情報記録領域には暗号化情報が記録されると共に、前記半導体メモリには前記暗号化情報を復号するための鍵情報が記録され、前記メディア再生手段は、前記光記録メディアの再生が許可されている場合に、前記鍵情報に基づき前記暗号化情報を復号することが好ましい。この構成によれば、光記録メディアの情報記録領域には暗号化情報が記録されるので、半導体メモリ内の情報を読み取れない再生装置では暗号化情報しか読み取れず、かつ、鍵情報を取得することもできず、再生の制限が可能になる。また、鍵情報を光記録メディアの管理側で管理することができる。
【０００８】
上記構成において、前記半導体メモリに前記再生許可情報の書き戻しを行わず、前記光記録メディアを再生した場合には、前記メモリアクセス手段を介して再生履歴を構成する情報を前記半導体メモリに記録することが好ましい。この構成によれば、前記半導体メモリに前記再生許可情報の書き戻しを行わないので、再生許可を光記録メディアの管理側で管理することができる。
また、再生履歴を構成する情報を半導体メモリに記録するので、光記録メディアの半導体メモリから再生履歴を構成する情報を読み出すことによって、光記録メディアのトレーサビリティ性（再生状況の追跡可能性）を確保することができる。この場合、前記再生履歴を構成する情報は、再生日時、再生回数及び再生したメディア再生装置を特定する特定情報の少なくともいずれかを含むことが好ましい。
【０００９】
また、本発明は、情報記録領域に記録された情報の再生を制限可能な光記録メディアにおいて、前記情報記録領域に暗号化情報を記録すると共に、非接触で通信可能な半導体メモリを設けて、この半導体メモリに、前記暗号化情報を復号するための鍵情報を記録すると共に再生許可情報を選択的に記録したことを特徴とする。この構成によれば、情報記録領域に暗号化情報を記録すると共に半導体メモリに鍵情報を記録するので、半導体メモリ内の情報を読み取れない再生装置では暗号化情報しか読み取れず、再生を制限することができる。また、半導体メモリに再生許可情報を選択的に記録するので、光記録メディアの記録容量を制限することなく光記録メディアの再生許可／再生禁止の設定が可能になる。
【００１０】
上記構成において、前記光記録メディアは光ディスクであり、非接触の通信に供するループアンテナを、前記情報記録領域よりも内周側の非情報記録領域に沿って設けることが好ましい。この構成によれば、ループアンテナによって情報記録領域の情報が読めなくなる事態を回避しつつ、ループアンテナによる遠心力の増大を抑えることができる。
この場合、情報記録領域には、非接触の通信に供するＩＣチップと、当該光記録メディアの回転バランス調整用の重りとが更に配置されることが好ましい。この構成によれば、ＩＣチップよって情報記録領域の情報が読めなくなる事態を回避しつつ遠心力の増大を抑え、かつ、光ディスクの回転バランスを適切範囲内に容易に収めることができる。
【００１１】
上記構成において、前記半導体メモリは、情報を読み出すと記録された情報が消失する破壊読み出しメモリであって、消失情報の再書き込みを行わないメモリであることが好ましい。この構成によれば、再生許可情報が読み出されると再生許可情報が半導体メモリから消失し、再生許可情報の再書き込みを行わない限り、この光記録メディア再生後は再生禁止にすることができる。
【００１２】
また、本発明は、以上説明したメディア再生装置に適用する他、この発明を実施するための制御プログラムを電気通信回線を介して一般ユーザに配布したり、そのようなプログラムを、磁気記録媒体、光記録媒体、半導体記録媒体といった、コンピュータに読み取り可能な記録媒体に格納して一般ユーザに配布する、といった態様でも実施され得る。
【発明の効果】
【００１３】
本発明によれば、光記録メディアに非接触で通信可能な半導体メモリを設けて、この半導体メモリに再生許可情報を選択的に記録し、メディア再生装置が、光記録メディアの半導体メモリに再生許可情報が記録されていた場合に、光記録メディアの再生が許可されていると判定し、光記録メディアの情報記録領域に記録された情報を再生するので、半導体メモリに再生許可情報が記録されていない場合は再生を制限でき、光記録メディアの記録容量を制限することなく光記録メディアの再生管理が可能になる。
【発明を実施するための最良の形態】
【００１４】
以下、図面を参照して本発明の実施形態を詳述する。
図１は本発明の実施形態に係るメディア再生システムの概要を示す図である。
このメディア再生システム１は、ＣＤやＤＶＤなどの光ディスク（光記録メディア）１０のレンタルサービスを提供する店舗（コンテンツ供給者）２と、この店舗２のレンタルサービスを利用する利用者３とによって使用されるシステムである。
概要を説明すると、まず、このシステム１で使用される光ディスク１０は、音楽や映像などのコンテンツを暗号鍵で暗号化した暗号化情報が情報記録領域に記録され、後段で詳述するが、半導体メモリ１１が外部から非接触通信可能に設けられている。
【００１５】
店舗２には、管理用コンピュータ４が備えられ、この管理コンピュータ４は、コンピュータ本体４Ａにドライブ装置５が接続され、このドライブ装置５は、光ディスク１０の半導体メモリ１１にアクセス可能な非接触通信機能を具備する。この管理コンピュータ４は、コンピュータ本体４Ａ内のハードディスク装置（不図示）に記録された制御プログラムを実行することにより、ドライブ装置５によって、半導体メモリ１１に記録された各種情報を読み出して表示装置４Ｂに表示出力し、また、正規のレンタル手続きが行われた際に、光ディスク１０の半導体メモリ１１に予め定めた再生許可情報を書き込む機能などを具備する。
【００１６】
利用者３側は、このメディア再生システム１に対応したメディア再生装置２０を備える。このメディア再生装置２０のタイプとしては、図１に示すように、映像出力及び音声出力を備えてテレビなどの映像音声出力装置２１に映像及び音声を出力する、いわゆる単体ディスクプレーヤ構成のメディア再生装置２２や、コンピュータ本体２４Ａと表示装置２４Ｂとを備えたパーソナルコンピュータ構成のメディア再生装置２４が挙げられる。これらメディア再生装置２２及び２４は、光ディスク１０の情報記録領域に記録された情報を読み取り、かつ、半導体メモリ１１にアクセス可能な非接触通信機能を具備するドライブ装置２５を各々備えている。
【００１７】
このメディア再生装置２０は、ドライブ装置２５に上述の光ディスク１０が装填されると、光ディスク１０の半導体メモリ１１に記録された情報を読み取り、再生許可情報が記録されていた場合に、再生が許可されていると判定し、利用者３の再生指示に応じて光ディスク１０の再生を開始する。一方、再生許可情報が記録されていない場合は、再生が不許可と判定し、利用者の再生指示があっても光ディスク１０の再生は行わない。このため、再生許可情報が記録されていない光ディスク、言い換えると、正規のレンタル手続きを経ていない光ディスクについては再生が禁止される。なお、この再生禁止状態の場合は、その旨を表示して不正利用者に報知する報知処理を行い、或いは、光ディスク１０をドライブ装置２５から直ちに排出させる強制排出処理を行うようにしてもよい。
【００１８】
次に光ディスク１０について詳述する。図２は光ディスク１０を情報記録面側から見た図であり、図３は光ディスク１０をレーベル面側から見た図である。
この光ディスク１０は、公知の光ディスクの規格に沿って形成されると共に、この光ディスク１０の情報記録領域ＡＲ１よりも内周側の非情報記録領域ＡＲ２に、半導体メモリ１１（図３参照）を備えた非接触通信用ＩＣチップ１２と、ループアンテナ１３と、バランス調整用の重り１４とを備えて構成される。
より具体的には、光ディスク１０は、従来から知られるように、上下一対の透明樹脂の間に記録層（情報記録領域）、反射層などを積層した積層構造を有しており、この記録層よりも内周側の透明樹脂のみの領域（非情報記録領域ＡＲ２）に、ループアンテナ１３が光ディスク１０の回転中心を中心に螺旋状に巻かれて構成され、このループアンテナ１３よりも光ディスク１０の表面側（レーベル面側）に非接触通信用ＩＣチップ１２を配置し、この光ディスク１０の回転バランスを調整するように、非接触通信用ＩＣチップ１２と略同じ光ディスク１０の同心円上に重り１４を配置している。なお、本例では、重り１４を非接触通信用ＩＣチップ１２に対して９０度間隔で計３つ配置する場合を例示したが、これに限らず、回転バランスを適正範囲に調整可能な範囲で任意に変更が可能である。
【００１９】
非接触通信用ＩＣチップ１２は、ループアンテナ１３を介して非接触通信するための各種回路を集積した部品であり、このＩＣチップ１２によって半導体メモリ１１が外部から非接触で通信可能に光ディスク１０に設けられる。
半導体メモリ１１は、不揮発性メモリの一種である強誘電体メモリ（ＦｅＲＡＭ）が適用される。強誘電体メモリ（ＦｅＲＡＭ）は、従来広く用いられてきたＥＥＰＲＯＭよりも高速読み書きでき、リフレッシュ動作が不要なため消費電力が少なく、かつ、長寿命である、といった特徴を有しており、かつ、情報を読み出すと記録された情報が消失する破壊読み出しメモリである。このため、情報を一回読み出すと、再書き込みを行わない限り、その情報は半導体メモリ１１から消失し、一回読み出しのみが可能になる。
なお、従来の強誘電体メモリには、読み出した情報が消失しないように読み出した情報を再書き込みするものもあるが、本構成の半導体メモリは再書き込みを行う構成を具備しないことによって上述の一回読み出しを可能にしている。また、半導体メモリ１１は、強誘電体メモリに限らず、情報を読み出すと記録された情報が消失する破壊読み出しメモリであればよい。
【００２０】
図４は半導体メモリ１１の内容を模式的に示す図である。
この図に示すように、この半導体メモリ１１の記録領域は、再生許可情報を格納する第１領域１１Ａと、管理情報を格納する第２領域１１Ｂと、再生履歴情報を格納する第３領域１１Ｃとが予め割り当てられ、その他の空き領域１１Ｄは、例えば、任意に使用可能な自由領域に設定される。すなわち、コンテンツ以外の情報は、この半導体メモリ１１に格納され、光ディスク１０の情報記録領域を全てコンテンツの記憶領域に割り当て可能にしている。
この半導体メモリ１１に記憶される各情報について説明すると、再生許可情報は、再生許可済みであることを示す情報であり、上述のように、正規のレンタル手続きが行われた場合に店舗２の管理用コンピュータ４によって書き込まれる。
また、管理情報は、この光ディスク固有の情報であり、具体的には、光ディスク１０固有の識別情報（ＩＤ）、及び、光ディスク１０に記録された暗号化情報の復号に使用する鍵情報（暗号鍵）を含んでいる。この管理情報は、常に半導体メモリ１１に格納するようにしてもよいし、レンタル時などに管理用コンピュータ４で適宜書き込むようにしてもよい。
また、再生履歴情報は、光ディスク１０の再生履歴を示す情報であり、再生日時、光ディスク１０を再生した機器（メディア再生装置２０）の管理番号、再生回数などのいずれかの情報を含み、これらは再生した機器によって書き込まれる。
【００２１】
次にメディア再生装置２０を説明する。このメディア再生装置２０は、図１に示すように、単体ディスクプレーヤ構成の装置２１と、パーソナルコンピュータ構成の装置２２とがあるが、これらは光ディスク１０の再生処理を専用のハードウェア回路で行うか、ソフトウェア処理で行うかの違いはあるものの、機能構成は略同一であり、以下、特に区別する必要がある場合を除いてメディア再生装置２０として共通のものとして説明する。
図５はメディア再生装置２０の機能構成を示すブロック図である。
メディア再生装置２０は、利用者３からリモコン、マウス、キーボードなどの操作装置を介して各種指示を入力する指示入力部（指示入力手段）４０を有し、指示入力部４０を介して入力された指示に応じて当該装置２０に装填された光ディスク１０を再生し、この光ディスク１０に記録された音声や映像の再生信号（音声信号、映像信号）を外部に出力する装置である。
【００２２】
上記光ディスク１０は、図示を省略したローディング機構によって当該再生装置２０内にローディングされ、ターンテーブル３１にクランプされる。このターンテーブル３１は、制御部４１の制御の下、駆動部４２を介して駆動モータ３２によって回転駆動され、これによって光ディスク１０が回転駆動される。
このターンテーブル３１の近傍には、光ピックアップ３３が配置され、この光ピックアップ３３は、光ディスク１０の情報記録領域ＡＲ１に向けてレーザ光を照射するレーザーダイオードと、このレーザ光の反射光を受光する受光素子と、この照射光及び反射光を集光するための対物レンズなどの光学系とを備え、レーザ光の反射光の受光レベルを示すＲＦ信号や、トラッキングエラー信号や、フォーカスエラー信号を出力する。
【００２３】
また、この光ピックアップ３３は、光ディスク１０の径方向に移動自在に支持され、制御部４１の制御の下、駆動部４２によって光ディスク１０の径方向の位置が制御（トラッキング制御を含む）されると共に、対物レンズのフォーカス制御が行われる。なお、上述のクランプ機構、光ピックアップ３３及び駆動部４２の構成は従来のものと同じである。
再生部（メディア再生手段）４３は、制御部４１の制御の下、光ピックアップ３０から出力されるＲＦ信号から光ディスク２０に記憶された情報をデジタル処理で復調して再生するものであるが、本構成の再生部４３は、復調したデータが暗号化データの場合に、この暗号化データの復号をソフトウェア処理或いはハードウェア装置により実行する復号部（復号手段）４４を有している。
出力部４５は、再生部４３の出力データのディジタルアナログ変換などを行い、公知のアナログ形式の音声信号及び映像信号を出力する。なお、この出力部４５が、公知のデジタル形式の音声信号及び映像信号を出力するように構成しても構わない。
【００２４】
通信部４６は、非接触通信により光ディスク１０の半導体メモリ１１にアクセスするメモリアクセス手段として機能するものであり、光ディスク１０のループアンテナ１３に近接するアンテナ４６Ａを備え、このアンテナ４６Ａを介して所定の電波を送信し、光ディスク１０から返ってくる電波をアンテナ４６Ａを介して受信することにより半導体メモリ１１に記録された情報の読み取り、半導体メモリ１１への情報の書き込みを行う。なお、この非接触通信には公知の通信方式を広く適用可能である。このように電波を用いた非接触通信を行うことにより、光ディスク１０が回転駆動中であっても半導体メモリ１１の読み書きが可能になり、また、光ディスク１０の光学読み取りに影響を与えることもない。
【００２５】
制御部（再生判定手段、再生制御手段）４１は、このメディア再生装置２０全体を制御するコンピュータとして機能するものであり、記憶部４７には、このメディア再生装置２０固有の管理番号や光ディスク再生用の制御プログラムなどの各種データが記憶され、制御部４１が記憶部４７に記憶された制御プログラムを実行することにより、このメディア再生装置２０の各部を制御して光ディスク１０の再生処理や復号処理などを行う。本構成では、上述した制御部４１及び記憶部４７を除いて上記各構成がドライブ装置２５に内蔵されているが、これに限らず、制御部４１及び記憶部４７についてもドライブ装置２５が具備するようにしてもよい。
なお、このメディア再生装置２０は、上述した半導体メモリ１１を備えた光ディスク１０の再生に限らず、公知のＣＤ、ＣＤ−ＲＯＭ或いはＤＶＤなどの光ディスクを再生することもでき、以下、これらの光ディスクを明確に区別するため、半導体メモリ１１を備えた光ディスク１０を、再生管理型光ディスク１０と表記し、公知の光ディスクを従来型光ディスク１０Ｘと表記して説明する。
【００２６】
次にメディア再生装置２０の動作を説明する。図６は光ディスク装填時の動作を示すフローチャートであり、図７は光ディスク再生指示時の動作を示すフローチャートである。
図６に示すように、メディア再生装置２０に光ディスク（再生管理型光ディスク１０か従来型光ディスク１０Ｘかは不明）が装填されると、制御部４１は、光ディスク判別処理を開始する（ステップＳ１）。この光ディスク判別処理では、制御部４１が、通信部４６により光ディスクとの通信をトライし、その応答の有無により通信できたか否かを判定する（ステップＳ２）。
【００２７】
制御部４１は、通信できた場合（ステップＳ２：ＹＥＳ）、再生管理型光ディスク１０であると判定し、非接触通信により光ディスク１０の半導体メモリ１１に記録された情報の読み出しを行う（ステップＳ３）。この際、制御部４１は、半導体メモリ１１の第１領域１１Ａの読み出しを少なくとも行い、再生許可情報を取得したか否かを判定する（ステップＳ４）。
そして、再生許可情報を取得した場合（ステップＳ４：ＹＥＳ）、制御部４１は、再生許可を示すフラグ（再生許可フラグ）を記憶部４７の所定領域に書き込むと共に（ステップＳ５）、半導体メモリ１１の第２領域１１Ｂの読み出しを行い、鍵情報を取得して記憶部４７に格納する。
【００２８】
一方、ステップＳ４の判定において、再生許可情報を取得できない場合（ステップＳ４：ＮＯ）、制御部４１は、再生許可されていない光ディスク１０と判定し、再生禁止を示すフラグ（再生禁止フラグ）を記憶部４７の所定領域に書き込む（ステップＳ７）。すなわち、正規のレンタル手続きが行われていない光ディスク１０の場合には、再生禁止フラグが記憶部４７に設定される。この場合、制御部４１は、再生禁止である旨を音声又は映像により報知する報知処理を行い（ステップＳ８）、その旨を利用者に報知する。
なお、この報知処理に使用する情報（文字情報、映像情報、音声情報など）は、光ディスクの半導体メモリ１１の空き領域１１Ｄに格納する構成、或いは、メディア再生装置２０の記憶部４７に格納する構成を適用可能である。
【００２９】
また、装填された光ディスクが従来型光ディスク１０Ｘであった場合には、制御部４１がステップＳ２の判定処理で非接触通信できないと判定し（ステップＳ２：ＮＯ）、ステップＳ９の処理に移行して、再生許可フラグを記憶部４７に書き込む。ここで、従来型光ディスク１０Ｘが装填される場合とは、利用者がレンタルしたのではなく所有する光ディスクを装填する場合であり、かかる場合は、再生制限することが好ましくないため、再生許可とするものである。以上が光ディスク装填時の処理である。
【００３０】
上記処理後、制御部４１は、指示入力部４０を介して利用者の指示入力待ちなり、指示が入力された場合、図７に示すように、光ディスク排出指示か否かを判定する（ステップＳ１１）。光ディスク排出指示の場合、制御部４１は、光ディスクの排出処理を行うと共に、記憶部４７に記憶された再生許可／再生禁止を示すフラグの設定をクリアする（ステップＳ１２）。
入力された指示が光ディスク排出指示でない場合、制御部４１は、再生指示、或いは、ＤＶＤの場合には再生指示以外のメニュー表示指示などの再生に関わる指示を入力したか否かを判定し（ステップＳ１３）、その他の指示の場合（ステップＳ１３：ＮＯ）、その指示に対応する処理を実行した後、次の指示入力待ちとなる。
【００３１】
再生に関わる指示を入力した場合には（ステップＳ１３：ＹＥＳ）、制御部４１は、記憶部４７に記憶された再生許可／禁止のフラグを参照し（ステップＳ１４）、再生許可のフラグが設定されていた場合（ステップＳ１５：ＹＥＳ）、再生部４３により指示に応じた再生処理（メニュー表示などを含む）を実行する（ステップＳ１６）。この再生処理において、装填された光ディスクが再生管理型光ディスク１０の場合には、情報記録領域から暗号化情報が読み出され、復号部４４により予め取得した鍵情報で復号処理を行うことで、暗号を解錠して再生することができる。なお、従来型光ディスク１０Ｘの場合には、復号部４４を使用することなく再生処理が行われる。
また、再生管理型光ディスク１０の再生の際には、制御部４１が、通信部４６により半導体メモリ１１の第３領域１１Ｃを読み出して再生履歴情報を取得し、この再生履歴情報内の再生回数に一を加算すると共に、再生日時、当該再生装置２０の管理番号を追加し、この情報を、半導体メモリ１１の第３領域１１Ｃに書き込む（ステップＳ１７）。これにより、半導体メモリ１１内の再生履歴情報を適切に更新することができる。
【００３２】
一方、ステップＳ１５の判定において、再生許可のフラグが設定されていなかった場合（ステップＳ１５：ＮＯ）、つまり、再生禁止のフラグが設定されていた場合には、制御部４１は、再生に関する各種指示を入力しても再生処理を行わない（ステップＳ１８）。これによって、再生管理型光ディスク１０については、再生許可情報が記録されていた場合に限って再生を行い、再生許可情報が記録されていなかった場合には再生制限を行うことができる。以上がメディア再生装置２０の動作である。
【００３３】
以上説明したように、本実施の形態によれば、光ディスク１０には、情報記録領域ＡＲ１に暗号化情報が記録されるので、この光ディスク１０を汎用のディスク再生装置で再生しようとしても暗号化情報しか読み取れず、その装置での再生を不可能にすることができ、かつ、中身の情報を見てもコンテンツ内容の判読が不可能であり、コンテンツの不正利用、不正再生を防止することができる。
また、この光ディスク１０には、非接触通信可能に半導体メモリ１１を設けて、この半導体メモリ１１に再生許可情報を選択的に記録するようにしたので、再生許可情報の有無により再生許可／再生禁止を容易に切り換えることができる。
【００３４】
しかも、この半導体メモリ１１に、光ディスク１０の暗号化情報を暗号解除するための鍵情報を記録するので、この半導体メモリ１１へのアクセス機能を有する専用のメディア再生装置２０でしか鍵情報を取得できず、このメディア再生装置２０でのみ暗号解除して再生することが可能になる。
また、半導体メモリ１１に、情報を読み出すと記録された情報が消失し、消失情報の再書き込みを行わない破壊読み出しメモリを使用し、かつ、メディア再生装置２０が再生許可情報の書き戻しを行わないので、上記の再生許可情報が読み出されると再生許可情報が半導体メモリ１１から消失し、この光ディスク１０再生後の不正再生を防止することができる。これらにより、鍵情報及び再生許可／不許可の管理を、光ディスク１０の管理側（店舗２側）で一括管理することができる。
【００３５】
また、半導体メモリ１１に再生履歴情報を記憶するので、この情報を参照することによって光ディスク１０のトレーサビリティ性（再生状況の追跡可能性）を確保することができる。また、コンテンツ情報以外の情報が全て半導体メモリ１１に記録されるので、光ディスク１０の情報記録領域ＡＲ１をコンテンツ情報のみに利用できる。従って、光ディスク１０の記録容量をコンテンツ以外の情報で使用することなく、光ディスク１０の不正再生防止などの再生管理を適切に行うことができる。
【００３６】
また、本構成では、光ディスク１０の情報記録領域ＡＲ１よりも内周側の非情報記録領域ＡＲ２に、半導体メモリ１１、非接触通信用ＩＣチップ１２及びループアンテナ１３を配置するので、これら部品によって情報記録領域ＡＲ１の情報が読めなくなる事態を回避しつつ、これら部品による遠心力の増大も抑えることができる。しかも、非情報記録領域ＡＲ２にバランス調整用の重り１４を配置するので、光ディスク１０の回転バランスを適切範囲内に容易に収めることができる。
【００３７】
なお、本発明は上述の実施形態に限定されるものではなく、本発明の目的を達成できる範囲での変形、改良などは本発明に含まれるものである。例えば、上述の実施形態では、光ディスク１０のレンタルサービスに本発明を適用する場合について説明したが、これに限らず、企業内の情報管理を光ディスクで行う場合などに広く適用可能である。
【００３８】
また、上述の実施形態において、再生管理をさらに強化したい場合、メディア再生装置２０に、閲覧者（利用者３）の識別情報を入力させ、この閲覧者の識別情報を再生履歴情報に含めるようにしてもよい。また、メディア再生装置２０に、閲覧者が予め閲覧が許可された者か否かを認証する生体認証機能を具備させ、認証された場合に再生指示などの各種操作を受け付けるようにしてもよく、或いは、パスワードを入力させ、パスワードが登録されたものと一致した場合にのみ各種操作を受け付けるようにしてもよい。
すなわち、本構成では、再生管理やセキュリティをどの程度強化するか、といった管理重要度に応じて適宜変更することが可能であり、例えば、再生制限のみを行う場合は再生履歴情報の記録を省略してもよい。
【００３９】
さらに、上述の実施形態において、光ディスク１０の半導体メモリ１１の空き領域１１Ｄに、契約者のみに公開するコンフィデンシャル情報や注意表記を記録しておき、再生時にこれらを注意表示させることも可能である。
また、従来より、レンタル店舗では、レンタル利用者に対し、商品案内（新作情報や類似商品）や販売促進情報（ポイントセール、割引）を提供する場合があるが、かかる情報を上記半導体メモリ１１の空き領域１１Ｄに記録し、レンタル利用者が適宜表示できるようにしてもよい。
また、上述の実施形態においては、光ディスク１０の半導体メモリ１１に鍵情報を記録するので、光ディスク１０管理側（店舗２側）で鍵情報の管理も行うことができるが、これに限らない。例えば、利用者側で鍵情報の管理が可能な場合には、半導体メモリ１１への鍵情報の記録を省略すると共に、メディア再生装置２０側に鍵情報を持たせ、半導体メモリ１１に再生許可情報が記録されている場合にメディア再生装置２０が上記鍵情報を用いて暗号化情報を復号して再生するようにしてもよい。
【００４０】
また、上述の実施形態では、メディア再生装置２０が実行する制御プログラムを予め装置内の記憶部４７に格納しておく場合について説明したが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００４１】
【図１】本発明の実施形態に係るメディア再生システムの概要図である。
【図２】光ディスクを情報記録面側から見た図である。
【図３】光ディスクをレーベル面側から見た図である。
【図４】半導体メモリの内容を模式的に示す図である。
【図５】メディア再生装置の機能構成を示すブロック図である。
【図６】光ディスク装填時の動作を示すフローチャートである。
【図７】光ディスク再生指示時の動作を示すフローチャートである。
【符号の説明】
【００４２】
１…メディア再生システム、５、２５…ドライブ装置（メモリアクセス手段）、１０…光ディスク（光記録メディア）、１１…半導体メモリ（強誘電体メモリ（ＦｅＲＡＭ））、１２…非接触通信用ＩＣチップ、１３…ループアンテナ、１４…重り、２０、２２、２４…メディア再生装置、３３…光ピックアップ、４０…指示入力部（指示入力手段）、４１…制御部（再生判定手段、再生制御手段）、４２…駆動部、４３…再生部（メディア再生手段）、４４…復号部（復号手段）、４５…出力部、４６…通信部（メモリアクセス手段）、４６Ａ…アンテナ、４７…記憶部。
【図１】
2009104701.tif 000003
【図２】
2009104701.tif 000004
【図３】
2009104701.tif 000005
【図４】
2009104701.tif 000006
【図５】
2009104701.tif 000007
【図６】
2009104701.tif 000008
【図７】
2009104701.tif 000009